【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
旋回カップ（３６、３８）であって、
パイロット旋回翼（４２）の列および対応するパイロット燃料噴射器（６０）を有する環状内側スワラと、
主旋回翼（４４）の列および対応する主燃料噴射器（６２）を有する環状外側スワラと、
前記内側スワラ（４２）と前記外側スワラ（４４）の間に径方向にそれらと同軸で配置される管状中央体（４６）と
を備え、
前記中央体（４６）が、前記内側スワラ（４２）を囲繞する環状バイパス入口（６６）を含み、孔つきパイロットノズル（５２）に沿って後方に発散して環状保炎器（５４）で終端し、
前記中央体（４６）が、インピンジメントリング（６４）をさらに含み、
前記インピンジメントリング（６４）が、冷却空気を受けるように前記バイパス入口（６６）と流れ連通するように前記保炎器（５４）から前方に間隔を置いて配置され、前記パイロットノズル（５２）まわりに径方向に間隔を置いて配置され、前記保炎器（５４）において前記冷却空気を方向付ける複数のインピンジメント孔（７２）を備え、
前記旋回カップ（３６、３８）は、
前記バイパス入口（６６）と前記インピンジメントリング（６４）の間で流れ連通するように軸方向に延在する環状外側マニホルド（６８）と、
前記外側マニホルド（６８）の内側に前記パイロットノズル（５２）まわりに同軸で配置され、前記インピンジメントリング（６４）と前記保炎器（５４）の間において軸方向に終端する環状内側プレナム（７０）と
をさらに備えることを特徴とする、旋回カップ（３６、３８）。
【請求項２】
前記外側スワラ（４４）が、前記パイロットノズル（５２）および前記保炎器（５４）を囲繞する主ノズルを画成する環状シュラウド（５８）内で終端する、請求項１記載の旋回カップ。
【請求項３】
前記インピンジメントリング（６４）には、前記インピンジメント孔（７２）の列が軸方向に貫通して延在しており、
前記パイロットノズル（５２）が、前記保炎器（５４）から前方に間隔を置いて配置される出口孔（７４）の列を含む、
請求項２記載の旋回カップ。
【請求項４】
前記パイロットノズル（５２）が前記保炎器（５４）まで後方に発散し、前記出口孔（７４）が、前記消費冷却空気をそこから吐出するように前記内側プレナム（７０）と流れ連通するように前記内側プレナム（７０）を通って軸方向に延在する、請求項３記載の旋回カップ。
【請求項５】
前記パイロット旋回翼（４２）が、前記パイロットノズル（５２）を通ってパイロット燃料／空気混合気を集合的に吐出するように、前記バイパス入口（６６）の径方向内方に前記パイロットノズル（５２）の前方に配置され、前記パイロット噴射器（６０）を囲繞し、
前記主旋回翼（４４）が、前記主ノズル（５８）を通って主燃料／空気混合気を集合的に吐出するように前記主噴射器（６２）の列を含む、
請求項４記載の旋回カップ。
【請求項６】
前記パイロット旋回翼（４２）が、後方に空気流を旋回するように軸方向に延在し、前記パイロット噴射器（６０）が、前記パイロット旋回翼（４２）の後方にパイロット燃料を吐出するように後方出口（７６）を含み、
前記主旋回翼（４４）が、前記中央体（４６）まわりに径方向内方に空気流を旋回するように径方向に延在し、前記主噴射器（６２）が、前記旋回空気流内に主燃料を吐出するように前記主旋回翼（４４）と一体にされる、
請求項５記載の旋回カップ。
【請求項７】
環状ドーム（３４）から後方に延在する径方向内側および外側の燃焼ライナ（３０、３２）を有する燃焼器（１８）の環状ドーム（３４）に列をなして配置される、請求項５記載の旋回カップ。
【請求項８】
前記ドーム（３４）に取り付けられる前記旋回カップ（３６、３８）の径方向内側および外側の列をさらに備える、請求項７記載の燃焼器。
【請求項９】
前記パイロットノズル（５２）のそれぞれが、軸方向に、前記保炎器（５４）の前方に、間隔を置いて順に配置される前記出口孔（７４）の３つの列を備え、
前記保炎器（５４）が、前記内側スワラ（４２）と前記外側スワラ（４４）の間において軸方向の傾斜なしに径方向に延在し、遮熱コーティング（７８）で覆われる、
請求項８記載の燃焼器。
【請求項１０】
燃焼器旋回カップ（３６、３８）であって、
径方向で間にある管状中央体（４６）で隔てられる同軸の内側および外側のスワラ（４２、４４）を備え、
前記中央体（４６）が、前記内側スワラ（４２）を囲繞する環状バイパス入口（６６）を含み、孔つき内側ノズル（５２）に沿って後方に発散して環状保炎器（５４）で終端し、
前記中央体（４６）が、インピンジメントリング（６４）をさらに含み、
前記インピンジメントリング（６４）が、冷却空気を受けるように前記バイパス入口（６６）と流れ連通するように前記保炎器（５４）から前方に間隔を置いて配置され、前記パイロットノズル（５２）まわりに径方向に間隔を置いて配置され、前記保炎器（５４）において前記冷却空気を方向付ける複数のインピンジメント孔（７２）を備え、
前記燃焼器旋回カップ（３６、３８）は、
前記バイパス入口（６６）と前記インピンジメントリング（６４）の間で流れ連通するように軸方向に延在する環状外側マニホルド（６８）と、
前記外側マニホルド（６８）の内側に前記パイロットノズル（５２）まわりに同軸で配置され、前記インピンジメントリング（６４）と前記保炎器（５４）の間において軸方向に終端する環状内側プレナム（７０）と
をさらに備えることを特徴とする、燃焼器旋回カップ（３６、３８）。
【請求項１１】
前記インピンジメントリング（６４）には、インピンジメント孔（７２）の列が軸方向に貫通して延在しており、
前記内側ノズル（５２）が、前記保炎器（５４）から前方に間隔を置いて配置される出口孔（７４）の列を含む、
請求項１０記載の燃焼器旋回カップ。
【請求項１２】
前記内側ノズル（５２）が前記保炎器（５４）まで後方に発散し、前記出口孔（７４）が、前記消費冷却空気を吐出するように前記内側プレナム（７０）と流れ連通するように前記内側プレナム（７０）から軸方向に延在する、請求項１１記載の燃焼器旋回カップ。
【請求項１３】
前記内側スワラが、前記内側ノズル（５２）を通ってパイロット燃料／空気混合気を集合的に吐出するように、前記バイパス入口（６６）の径方向内方に、前記内側ノズル（５２）の前方に配置され、パイロット燃料噴射器（６０）を囲繞する、パイロット旋回翼（４２）を備え、
前記外側スワラが、主燃料／空気混合気を前記外側ノズル（５８）を通って集合的に吐出するように、前記保炎器（５４）を囲繞する外側ノズルを画成する環状シュラウド（５８）内で終端し、主燃料噴射器（６２）の列を有する、主旋回翼（４４）の列を備える、
請求項１２記載の燃焼器旋回カップ。
【請求項１４】
前記パイロット旋回翼（４２）が、後方に空気流を旋回するように軸方向に延在し、前記パイロット噴射器（６０）が、前記パイロット旋回翼（４２）の後方にパイロット燃料を吐出するように後方出口（７６）を含み、
前記主旋回翼（４４）が、前記中央体（４６）まわりに径方向内方に空気流を旋回するように径方向に延在し、前記主噴射器（６２）が、前記旋回空気流内に主燃料を吐出するように前記主旋回翼（４４）と一体にされる、
請求項１３記載の燃焼器旋回カップ。
【請求項１５】
環状ドーム（３４）から後方に延在する径方向内側および外側の燃焼ライナ（３０、３２）を有する燃焼器（１８）の環状ドーム（３４）と、該環状ドームに列をなして配置される請求項１０乃至１４のいずれか１項に記載の旋回カップとを備える燃焼器。
【請求項１６】
前記ドーム（３４）に取り付けられる前記燃焼器旋回カップ（３６、３８）の径方向内側および外側の列をさらに備える、請求項１５記載の燃焼器。
【請求項１７】
前記内側ノズル（５２）のそれぞれが、軸方向に、前記保炎器（５４）の前方に、間隔を置いて順に配置される前記出口孔（７４）の３つの列を備える、請求項１６記載の燃焼器。
【請求項１８】
前記保炎器（５４）が、前記内側スワラ（４２）と前記外側スワラ（４４）の間において軸方向の傾斜なしに径方向に延在し、遮熱コーティング（７８）で覆われる、請求項１７記載の燃焼器。